【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
電子を放出するエミッタ電極と、
前記エミッタ電極に対して、管軸方向スクリーン画面側に配設されており、前記エミッタ電極からの電子の放出を制御するゲート電極と、
前記エミッタ電極に対して、管軸方向スクリーン画面側に配設されており、前記ゲート電極よりも厚みが大きく、かつ、前記ゲート電極を囲繞している周辺集束電極と、
前記周辺集束電極に対して、管軸方向スクリーン画面側に配設されている加速電極と
を備える冷陰極電子銃と、
前記加速電極が前記ゲート電極と前記周辺集束電極とに対して高電位となるように、前記加速電極、前記ゲート電極、および、前記周辺集束電極に電圧を印加して、クロスオーバを形成する電圧印加手段と
を備えることを特徴とする受像管装置。
【請求項２】
前記冷陰極電子銃は、前記加速電極に対して管軸方向スクリーン画面側に配設されている集束電極と、前記集束電極に対して管軸方向スクリーン画面側に配設されている最終加速電極とを備え、
前記電圧印加手段は、前記最終加速電極に印加される電圧を抵抗分割して前記加速電極に印加する
ことを特徴とする請求項１に記載の受像管装置。
【請求項３】
前記冷陰極電子銃は、集束電極と最終加速電極とを備え、
前記電圧印加手段は、前記集束電極に対して印加されている電圧を、併せて前記加速電極に対しても印加する
ことを特徴とする請求項１に記載の受像管装置。
【請求項４】
前記周辺集束電極は、
前記ゲート電極と略同一の厚みを有し、管軸方向について前記ゲート電極と略同一の位置にあって、前記ゲート電極を囲繞する平面周辺集束電極と、
前記平面周辺集束電極について、前記エミッタ電極と反対側に配設された立体周辺集束電極とからなっている
ことを特徴とする請求項１に記載の受像管装置。
【請求項５】
前記平面周辺集束電極と前記立体周辺集束電極とは、いずれも電子ビームを通過させる貫通孔を有し、
前記平面周辺集束電極の貫通孔の内径は、前記立体周辺集束電極の貫通孔の内径よりも小さい
ことを特徴とする請求項４に記載の受像管装置。
【請求項６】
前記立体周辺集束電極と前記平面周辺集束電極とは離隔されている
ことを特徴とする請求項４に記載の受像管装置。
【請求項７】
前記平面周辺集束電極は前記立体周辺集束電極よりも低電位である
ことを特徴とする請求項４に記載の受像管装置。
【請求項８】
前記周辺集束電極は、電子ビームを通過させる貫通孔を有し、
前記周辺集束電極の貫通孔は、前記加速電極に近いほど拡径されている
ことを特徴とする請求項１に記載の受像管装置。
【請求項９】
前記周辺集束電極は、電子ビームを通過させる貫通孔を有し、
前記周辺集束電極の貫通孔の内側面は、前記ゲート電極側に近い部分において前記周辺集束電極の中心軸と平行となっている
ことを特徴とする請求項８に記載の受像管装置。
【請求項１０】
前記立体周辺集束電極は、電子ビームを通過させる貫通孔を有し、
前記立体周辺集束電極の貫通孔は、前記加速電極に近いほど拡径されている
ことを特徴とする請求項４に記載の受像管装置。
【請求項１１】
前記立体周辺集束電極の貫通孔の内側面は、前記ゲート電極側に近い部分において前記立体周辺集束電極の中心軸と平行となっている
ことを特徴とする請求項１０に記載の受像管装置。
【請求項１２】
前記加速電極は、前記周辺集束電極側において面取りされている
ことを特徴とする請求項１に記載の受像管装置。
【請求項１３】
前記加速電極は、前記周辺集束電極側の周縁部がＲ付きである
ことを特徴とする請求項１に記載の受像管装置。
【請求項１４】
前記周辺集束電極は、前記加速電極側において面取りされている
ことを特徴とする請求項１に記載の受像管装置。
【請求項１５】
前記周辺集束電極は、前記加速電極側の周縁部がＲ付きである
ことを特徴とする請求項１に記載の受像管装置。
【請求項１６】
前記加速電極と前記周辺集束電極とは、いずれも電子ビームを通過させる貫通孔を有し、
前記加速電極の貫通孔の内径は前記周辺集束電極の貫通孔の内径以下である
ことを特徴とする請求項１に記載の受像管装置。
【請求項１７】
前記冷陰極電子銃は、
前記加速電極に対して、管軸方向スクリーン画面側に配設されている集束電極と、
前記加速電極と前記集束電極の間に配設された予備集束電極とを備え、
前記予備集束電極は前記加速電極電位よりも低電位である
ことを特徴とする請求項１に記載の受像管装置。
【請求項１８】
前記加速電極と前記集束電極の間に配設された予備集束電極を備え、
前記予備集束電極は前記加速電極電位よりも低電位である
ことを特徴とする請求項２に記載の受像管装置。
【請求項１９】
前記立体周辺集束電極は、電子ビームを通過させる貫通孔を有し、
前記立体周辺集束電極の貫通孔は、前記加速電極に近いほど縮径されている
ことを特徴とする請求項４に記載の受像管装置。
【請求項２０】
ゲート電極と、
前記ゲート電極よりも厚みが大きく、かつ、前記ゲート電極を囲繞している周辺集束電極と、
電子を放出する突出部を複数備えており、当該突出部は、いずれも前記周辺集束電極から所定距離以上、離隔されているエミッタ電極と、
加速電極と
を備える冷陰極電子銃と、
前記加速電極が前記ゲート電極と前記周辺集束電極とに対して高電位となるように電圧を印加して、クロスオーバを形成する電圧印加手段と
を備えることを特徴とする受像管装置。
【請求項２１】
前記突出部は、いずれも前記周辺集束電極から０．０１ｍｍ以上、離隔されている
ことを特徴とする請求項２０に記載の受像管装置。
【請求項２２】
前記突出部は、平面視矩形領域内に配置されている
ことを特徴とする請求項２０に記載の受像管装置。
【請求項２３】
前記エミッタ電極は、水平方向に隣り合う３つの部分電極からなっており、
スクリーン画面の中央部分を走査するときは、前記３つの部分電極すべてから電子を放出し、
スクリーン画面の中央部分以外の部分を走査するときは、前記３つの部分電極のうち、水平方向中央に位置する部分電極のみから電子を放出する
ことを特徴とする請求項２０に記載の受像管装置。
【請求項２４】
エミッタ電極に対する周辺集束電極の電圧Vf、ゲート電極の電圧Vex及び加速電極の電圧Vg2がVf＜Vex＜＜Vg2となるように印加されている
ことを特徴とする請求項１に記載の受像管装置。
【請求項２５】
エミッタ電極に対する加速電極の電圧Vg2が1kV以上、4.6kV以下となるように印加されている
ことを特徴とする請求項１に記載の受像管装置。
【請求項２６】
立体周辺集束電極の平面集束電極側の主面に導電性の突起部が設けられており、
突起部は平面集束電極と接触している
ことを特徴とする請求項４に記載の受像管装置。
【請求項２７】
立体周辺集束電極は、平面視、環状となっており、
突起部は、立体周辺集束電極の中心軸を囲繞する三角形の各頂点の位置に配されている
ことを特徴とする請求項２６に記載の受像管装置。
【請求項２８】
前記三角形は正三角形である
ことを特徴とする請求項２７に記載の受像管装置。
【請求項２９】
エミッタ電極から遠ざかるほど、周辺集束電極の内壁がエミッタ電極の主面に平行になるように傾斜する
ことを特徴とする請求項８に記載の受像管装置。
【請求項３０】
予備集束電極と周辺集束電極とが電気的に接続されている
ことを特徴とする請求項１７に記載の受像管装置。
【請求項３１】
予備集束電極と周辺集束電極とが電気的に接続されている
ことを特徴とする請求項１８に記載の受像管装置。
【請求項３２】
予備集束電極と集束電極との間に配されており、予備集束電極より高い電圧が印加される第２の予備集束電極を備える
ことを特徴とする請求項１７に記載の受像管装置。
【請求項３３】
予備集束電極と集束電極との間に配されている第２の予備集束電極と、を備え、
第２の予備集束電極は、最終加速電極に印加される電圧を抵抗分割して印加されている
ことを特徴とする請求項１８に記載の受像管装置。